【手続補正書】
【提出日】平成27年12月16日(2015.12.16)
【手続補正１】
【補正対象書類名】明細書
【補正対象項目名】００４８
【補正方法】変更
【補正の内容】
【００４８】
本発明の様々な実施形態について説明してきた。これらの及び他の実施形態は特許請求の範囲に含まれるものである。
最後に、以下に列挙するものに限定されるわけではないけれども、本発明の好ましい形態を付記すると、次のとおりである。
〔付記１〕
製造されたウェブから取得された異常データを保存するデータベースであって、前記異常データは、製造されたウェブの中の少なくとも１つの、前記製造されたウェブ上の一連の基準マークに関連した異常の位置を特定する、データベースと、
前記製造されたウェブ上の前記一連の基準マークの位置情報を出力する基準マーク読取装置と、
前記製造されたウェブを、ウェブ材料の２つ又は３つ以上のスリットロールに切断するために、前記基準マーク読取装置からウェブ下流に位置するスリッターと、
前記スリットロールのそれぞれの前記ウェブ材料上に一連の基準マークを印刷する基準マークプリンタと、
前記スリットロールの前記ウェブ材料上に印刷した前記一連の基準マークに関連した前記異常の更新位置を計算することにより前記異常データの空間的同期を保持する位置監視システムと、
を備える、変換処理ラインと、を備える、システム。
〔付記２〕
前記基準マークプリンタが、前記製造されたウェブ上の前記一連の基準マークと実質的に同じウェブ下流位置に、前記スリットロールの前記ウェブ材料上の前記一連の基準マークを印刷し、かつ
前記位置監視システムが、前記スリットロールの前記ウェブ材料上に印刷した前記一連の基準マークのウェブ横断位置に関連した前記異常の更新ウェブ横断位置を計算する、付記１に記載のシステム。
〔付記３〕
前記製造されたウェブ上の各基準マークに対して、前記スリットロールの前記ウェブ材料上に前記基準マークのうちの１つの対応する基準マークを印刷するために、前記位置監視システムが前記基準マークプリンタを制御し、かつ
前記スリットロールの前記ウェブ材料上に前記基準マークのそれぞれを印刷して、前記製造されたウェブ上の前記対応する基準マークを特定する第１部分と、前記スリットロール上の前記基準マークを特定する第２部分と、を有するように、前記位置監視システムが前記基準マークプリンタを制御する、付記２に記載のシステム。
〔付記４〕
前記基準マークプリンタが、前記製造されたウェブ上の前記基準マークのウェブ下流位置からウェブ下流に片寄った位置に、前記スリットロールの前記ウェブ材料上の前記一連の基準マークを印刷し、かつ
前記位置監視システムが、前記スリットロールの前記ウェブ材料上に印刷した前記基準マークのうちの少なくとも１つの前記ウェブ下流位置に関連した前記異常の更新ウェブ下流位置を計算する、付記１に記載のシステム。
〔付記５〕
前記位置監視システムが、前記スリットロールの前記ウェブ材料上に印刷した前記基準マークのうちの１つ又は２つ以上のウェブ横断位置に関連した前記異常についての更新ウェブ横断位置を計算する、付記１に記載のシステム。
〔付記６〕
前記位置監視システムが、前記スリットロールの前記ウェブ材料上に印刷した前記基準マークのうちの２つ又は３つ以上についての前記ウェブ横断位置の間の補間又は曲線の当てはめにより、前記異常についての前記更新ウェブ横断位置を計算する、付記５に記載のシステム。
〔付記７〕
前記スリットロールのうちの少なくとも１つの前記ウェブ材料を、一連の製品シートに切断する機械と、
前記製品シートのそれぞれの上に一連の基準マークを印刷する第２の基準マークプリンタと、を更に備え、
前記第２の基準マークプリンタは、そこから前記製品シートを切り取った前記スリットロールの前記ウェブ材料上の各基準マークに対して前記製品シート上に１つ又は２つ以上の基準マークを印刷し、かつ
前記位置監視システムが、前記製品シート上に前記基準マークのそれぞれを印刷して、前記製造されたウェブ上の前記対応する基準マークを特定する第１部分と、そこから前記製品シートを切り取った前記スリットロール上の前記対応する基準マークを特定する第２部分と、前記製品シート上の前記基準マークを特定する第３部分と、を有するように、前記第２の基準マークプリンタを制御する、付記１に記載のシステム。
〔付記８〕
前記位置監視システムが、前記製品シート上に印刷してある前記一連の基準マークの位置に関連した前記異常の更新位置を計算することにより前記異常データの空間的同期を保持する、付記７に記載のシステム。
〔付記９〕
製造されたウェブ上の一連の基準マークに関連した第１のウェブの中の少なくとも１つの異常の位置を特定する異常データを保存する工程と、
変換処理ラインを介して前記製造されたウェブを移送する工程と、
前記製造されたウェブを移送しつつ、前記製造されたウェブ上の前記一連の基準マークの位置情報を基準マーク読取装置を用いて検出する工程と、
前記基準マーク読取装置からウェブ下流に位置するスリッターを用いて、前記製造されたウェブを、ウェブ材料の２つ又は３つ以上のスリットロールに切断する工程と、
前記製造されたウェブ上の前記一連の基準マークの前記検出した位置情報に基づいて、前記スリットロールのそれぞれの前記ウェブ材料上に一連の基準マークを印刷するように、前記スリッターからウェブ下流の基準マークプリンタを制御する工程と、
前記スリットロールの前記ウェブ材料上に印刷した前記一連の基準マークに関連した前記異常の更新位置を計算することにより、位置監視システムを用いて前記異常データの空間的同期を保持する工程と、を含む、方法。
〔付記１０〕
前記スリットロールの前記ウェブ材料上の前記一連の基準マークを、前記製造されたウェブ上の前記一連の基準マークと実質的に同じウェブ下流位置に印刷するように、前記基準マークプリンタを制御する工程と、
前記スリットロールの前記ウェブ材料上に印刷した前記一連の基準マークのウェブ横断位置に関連した前記異常の更新ウェブ横断位置を、前記位置監視システムを用いて計算する工程と、を更に含む、付記９に記載の方法。
〔付記１１〕
前記製造されたウェブ上の各基準マークに対して、前記スリットロールの前記ウェブ材料上に前記基準マークのうちの１つの対応する基準マークを印刷するように、前記位置監視システムを用いて前記基準マークプリンタを制御する工程と、
前記スリットロールの前記ウェブ材料上に前記基準マークのそれぞれを印刷して、前記製造されたウェブ上の前記対応する基準マークを特定する第１部分と、前記スリットロール上の前記基準マークを特定する第２部分と、を有するように、前記位置監視システムを用いて前記基準マークプリンタを制御する工程と、を更に含む、付記１０に記載の方法。
〔付記１２〕
前記製造されたウェブ上の前記基準マークのウェブ下流位置からウェブ下流に片寄った位置に、前記スリットロールの前記ウェブ材料上の前記一連の基準マークを印刷するように、前記位置監視システムを用いて前記基準マークプリンタを制御する工程と、
前記スリットロールの前記ウェブ材料上に印刷した前記基準マークのうちの少なくとも１つの前記ウェブ下流位置に関連した前記異常の更新ウェブ下流位置を、前記位置監視システムを用いて計算する工程と、を更に含む、付記９に記載の方法。
〔付記１３〕
前記スリットロールの前記ウェブ材料上に印刷した前記基準マークのうちの１つ以上のウェブ横断位置に関連した前記異常の更新ウェブ横断位置を、前記位置監視システムを用いて計算する工程と、を更に含む、付記９に記載の方法。
〔付記１４〕
前記スリットロールの前記ウェブ材料上に印刷した前記基準マークのうちの２つ又は３つ以上の前記ウェブ横断位置の間の補間又は曲線の当てはめにより、前記異常の前記更新ウェブ横断位置を前記位置監視システムを用いて計算する工程、を更に含む、付記１３に記載の方法。
〔付記１５〕
前記スリットロールのうちの少なくとも１つの前記ウェブ材料を、製品シートの集合に切断する工程と、
前記製品シートのそれぞれの上に基準マークの集合を印刷するように、前記位置監視システムを用いて第２基準マークプリンタを制御する工程と、を更に含み、
前記第２の基準マークプリンタは、そこから前記製品シートを切り取った前記スリットロールの前記ウェブ材料上の各基準マークに対して前記製品シート上に１つ又は２つ以上の基準マークを印刷して、前記位置監視システムが、前記製品シート上に前記基準マークのそれぞれを印刷し、かつ前記製造されたウェブ上の前記対応する基準マークを特定する第１部分と、そこから前記製品シートを切り取った前記スリットロール上の前記対応する基準マークを特定する第２部分と、前記製品シート上の前記基準マークを特定する第３部分と、を有するように、前記第２の基準マークプリンタを制御する、付記９に記載の方法。
〔付記１６〕
前記製品シート上に印刷した前記一連の基準マークの位置に関連した前記異常の更新位置を前記位置監視システムを用いて計算する工程、を更に含む、付記１５に記載の方法。
【手続補正２】
【補正対象書類名】特許請求の範囲
【補正対象項目名】全文
【補正方法】変更
【補正の内容】
【特許請求の範囲】
【請求項１】
製造されたウェブから取得された異常データを保存するデータベースであって、前記異常データは、製造されたウェブの中の少なくとも１つの、前記製造されたウェブ上の一連の基準マークに関連した異常の位置を特定する、データベースと、
前記製造されたウェブ上の前記一連の基準マークの位置情報を出力する基準マーク読取装置と、
前記製造されたウェブを、ウェブ材料の２つ又は３つ以上のスリットロールに切断するために、前記基準マーク読取装置からウェブ下流に位置するスリッターと、
前記スリットロールのそれぞれの前記ウェブ材料上に一連の基準マークを印刷する基準マークプリンタと、
前記スリットロールの前記ウェブ材料上に印刷した前記一連の基準マークに関連した前記異常の更新位置を計算することにより前記異常データの空間的同期を保持する位置監視システムと、
を備える、変換処理ラインと、を備える、システム。
【請求項２】
前記基準マークプリンタが、前記製造されたウェブ上の前記一連の基準マークと実質的に同じウェブ下流位置に、前記スリットロールの前記ウェブ材料上の前記一連の基準マークを印刷し、かつ
前記位置監視システムが、前記スリットロールの前記ウェブ材料上に印刷した前記一連の基準マークのウェブ横断位置に関連した前記異常の更新ウェブ横断位置を計算する、請求項１に記載のシステム。
【請求項３】
前記基準マークプリンタが、前記製造されたウェブ上の前記基準マークのウェブ下流位置からウェブ下流に片寄った位置に、前記スリットロールの前記ウェブ材料上の前記一連の基準マークを印刷し、かつ
前記位置監視システムが、前記スリットロールの前記ウェブ材料上に印刷した前記基準マークのうちの少なくとも１つの前記ウェブ下流位置に関連した前記異常の更新ウェブ下流位置を計算する、請求項１に記載のシステム。
【請求項４】
前記スリットロールのうちの少なくとも１つの前記ウェブ材料を、一連の製品シートに切断する機械と、
前記製品シートのそれぞれの上に一連の基準マークを印刷する第２の基準マークプリンタと、を更に備え、
前記第２の基準マークプリンタは、そこから前記製品シートを切り取った前記スリットロールの前記ウェブ材料上の各基準マークに対して前記製品シート上に１つ又は２つ以上の基準マークを印刷し、かつ
前記位置監視システムが、前記製品シート上に前記基準マークのそれぞれを印刷して、前記製造されたウェブ上の前記対応する基準マークを特定する第１部分と、そこから前記製品シートを切り取った前記スリットロール上の前記対応する基準マークを特定する第２部分と、前記製品シート上の前記基準マークを特定する第３部分と、を有するように、前記第２の基準マークプリンタを制御する、請求項１に記載のシステム。
【請求項５】
製造されたウェブ上の一連の基準マークに関連した第１のウェブの中の少なくとも１つの異常の位置を特定する異常データを保存する工程と、
変換処理ラインを介して前記製造されたウェブを移送する工程と、
前記製造されたウェブを移送しつつ、前記製造されたウェブ上の前記一連の基準マークの位置情報を基準マーク読取装置を用いて検出する工程と、
前記基準マーク読取装置からウェブ下流に位置するスリッターを用いて、前記製造されたウェブを、ウェブ材料の２つ又は３つ以上のスリットロールに切断する工程と、
前記製造されたウェブ上の前記一連の基準マークの前記検出した位置情報に基づいて、前記スリットロールのそれぞれの前記ウェブ材料上に一連の基準マークを印刷するように、前記スリッターからウェブ下流の基準マークプリンタを制御する工程と、
前記スリットロールの前記ウェブ材料上に印刷した前記一連の基準マークに関連した前記異常の更新位置を計算することにより、位置監視システムを用いて前記異常データの空間的同期を保持する工程と、を含む、方法。
【請求項６】
前記スリットロールの前記ウェブ材料上の前記一連の基準マークを、前記製造されたウェブ上の前記一連の基準マークと実質的に同じウェブ下流位置に印刷するように、前記基準マークプリンタを制御する工程と、
前記スリットロールの前記ウェブ材料上に印刷した前記一連の基準マークのウェブ横断位置に関連した前記異常の更新ウェブ横断位置を、前記位置監視システムを用いて計算する工程と、を更に含む、請求項５に記載の方法。
【請求項７】
前記製造されたウェブ上の前記基準マークのウェブ下流位置からウェブ下流に片寄った位置に、前記スリットロールの前記ウェブ材料上の前記一連の基準マークを印刷するように、前記位置監視システムを用いて前記基準マークプリンタを制御する工程と、
前記スリットロールの前記ウェブ材料上に印刷した前記基準マークのうちの少なくとも１つの前記ウェブ下流位置に関連した前記異常の更新ウェブ下流位置を、前記位置監視システムを用いて計算する工程と、を更に含む、請求項５に記載の方法。
【請求項８】
前記スリットロールのうちの少なくとも１つの前記ウェブ材料を、製品シートの集合に切断する工程と、
前記製品シートのそれぞれの上に基準マークの集合を印刷するように、前記位置監視システムを用いて第２基準マークプリンタを制御する工程と、を更に含み、
前記第２の基準マークプリンタは、そこから前記製品シートを切り取った前記スリットロールの前記ウェブ材料上の各基準マークに対して前記製品シート上に１つ又は２つ以上の基準マークを印刷して、前記位置監視システムが、前記製品シート上に前記基準マークのそれぞれを印刷し、かつ前記製造されたウェブ上の前記対応する基準マークを特定する第１部分と、そこから前記製品シートを切り取った前記スリットロール上の前記対応する基準マークを特定する第２部分と、前記製品シート上の前記基準マークを特定する第３部分と、を有するように、前記第２の基準マークプリンタを制御する、請求項５に記載の方法。